(57)【要約】【課題】  クッション性を確保しつつシューズ着用時におけるシューズ内容積の変化を抑制できるインソール構造体を提供する。【解決手段】  シューズの踵部Ａから中足部Ｂをへて前足部Ｃにかけて延設された軟質弾性部材製の上部インソール２と、上部インソール２の下方に配設された軟質弾性部材製の下部インソール３と、上下部インソール２，３間に介装された波形状部４０を有する波形シート４とからインソール構造体１を構成する。この場合には、上部インソール２によって足当たり感を良好なものにすることができるとともに、下部インソール３によって着地時のクッション性を確保しつつ、シューズ着用時におけるシューズ内容積の変化を抑制できる。【選択図】  図３
2004313774.tif 000002
【特許請求の範囲】
【請求項１】
シューズのインソール構造体であって、
上方に配置され、シューズの踵部から中足部をへて前足部にかけて延設されるとともに、軟質弾性部材から構成された上部インソールと、
上部インソールの下方に配置され、軟質弾性部材から構成された下部インソールと、
前記上部インソールおよび前記下部インソールの間に介装され、波形状部を有する波形シートと、
を備えたシューズのインソール構造体。
【請求項２】
請求項１において、
前記下部インソールがシューズの踵部に配置され、前記波形シートの前記波形状部がシューズの踵部に配置されている、
ことを特徴とするシューズのインソール構造体。
【請求項３】
請求項１において、
前記下部インソールがシューズの中足部に配置され、前記波形シートの前記波形状部がシューズの中足部に配置されている、
ことを特徴とするシューズのインソール構造体。
【請求項４】
請求項１において、
前記下部インソールがシューズの前足部に配置され、前記波形シートの前記波形状部がシューズの前足部に配置されている、
ことを特徴とするシューズのインソール構造体。
【請求項５】
請求項１において、
前記下部インソールがシューズの踵部から中足部をへて前足部にかけて配置され、前記波形シートの前記波形状部がシューズの踵部から中足部をへて前足部にかけて配置されている、
ことを特徴とするシューズのインソール構造体。
【請求項６】
請求項１において、
前記上部インソールの一部が、下方に突出する凸状部を有しており、前記下部インソールが前記波形シートを介して前記凸状部の下方に配置されている、
ことを特徴とするシューズのインソール構造体。
【請求項７】
請求項６において、
前記凸状部がシューズの踵部に配置されている、
ことを特徴とするシューズのインソール構造体。
【請求項８】
請求項６において、
前記凸状部がシューズの前足部に配置されている、
ことを特徴とするシューズのインソール構造体。
【請求項９】
請求項１ないし５のいずれかにおいて、
前記下部インソールの少なくとも一部が、下方に突出している、
ことを特徴とするシューズのインソール構造体。
【請求項１０】
請求項１ないし５のいずれかにおいて、
当該インソール構造体がシューズに対して着脱自在に設けられている、
ことを特徴とするシューズのインソール構造体。
【請求項１１】
請求項１ないし５のいずれかにおいて、
当該インソール構造体のうちの少なくとも前記下部インソールがシューズに固着されている、
ことを特徴とするシューズのインソール構造体。
【請求項１２】
請求項１ないし５、１０または１１のいずれかにおいて、
前記上部インソールが、当該上部インソールの下面の波形状面において、前記波形シートの上面の波形状面に対して分離可能に設けられている、
ことを特徴とするシューズのインソール構造体。
【請求項１３】
請求項１２において、
前記上部インソールの前記下面の前記波形状面には、前記波形シートの前記上面の前記波形状面との間でずれが生じるのを防止するための係合突起または係合溝が形成されており、前記波形シートの前記上面の前記波形状面には、前記係合突起または係合溝が係脱自在に係合し得る係合溝または係合突起が形成されている、
ことを特徴とするシューズのインソール構造体。
【請求項１４】
請求項１ないし５、１０または１１のいずれかにおいて、
前記上部インソールおよび前記波形シートが、前記波形シートの下面の波形状面において、前記下部インソールの上面の波形状面に対して分離可能に設けられている、
ことを特徴とするシューズのインソール構造体。
【請求項１５】
請求項１４において、
前記下部インソールの前記上面の前記波形状面には、前記波形シートの前記下面の前記波形状面との間でずれが生じるのを防止するための係合突起または係合溝が形成されており、前記波形シートの前記下面の前記波形状面には、前記係合突起または係合溝が係脱自在に係合し得る係合溝または係合突起が形成されている、
ことを特徴とするシューズのインソール構造体。
【請求項１６】
請求項１ないし５、１０または１１のいずれかにおいて、
前記波形シートが前記上部インソールおよび前記下部インソールの双方に対して分離可能に設けられている、
ことを特徴とするシューズのインソール構造体。
【請求項１７】
請求項１６において、
前記波形シートの上面および下面の前記波形状面には、上部インソールの下面の波形状面および前記下部インソールの上面の波形状面との間でずれが生じるのを防止するための係合突起または係合溝が形成されており、前記上部インソールの前記下面の前記波形状面および前記下部インソールの前記上面の前記波形状面には、前記波形シートの前記係合突起または係合溝が係脱自在に係合し得る係合溝または係合突起がそれぞれ形成されている、
ことを特徴とするシューズのインソール構造体。
【請求項１８】
請求項１ないし５、または１０ないし１７のいずれかにおいて、
前記上部インソールの側縁部が、上方に延びる巻上げ部を有している、
ことを特徴とするシューズのインソール横造体。
【請求項１９】
請求項１において
前記波形シートが、編物、織物、合成樹脂またはその発泡体、あるいはラバーから構成されている、
ことを特徴とするシューズのインソール構造体。
【請求項２０】
請求項１において、
前記波形シートの硬度が、前記上下部インソールの硬度よりも、アスカーのＣスケールで少なくとも１０度高くなっている、
ことを特徴とするシューズのインソール構造体。
【請求項２１】
請求項１において、
前記波形シートが、前記上部インソールまたは前記下部インソールの成形時に一体成形されている、
ことを特徴とするシューズのインソール構造体。
【発明の詳細な説明】
【技術分野】
【０００１】
本発明は、シューズのインソール構造体に関し、その構造の改良に関する。
【背景技術】
【０００２】
シューズのインソール（中敷）として、インソール自体にクッション機能を付加するために、インソール全体の厚みを厚くしてクッション性を持たせたものが提案されている。この場合、クッション性を追求するあまりインソール全体の厚みを厚くしすぎると、着地時などに足からインソールに対して大きな荷重が作用したときに、インソールが下方に過度に沈み込む現象が発生する。その結果、シューズの内容積が変化し、足とシューズ内部の遊びが大きくなって、シューズと足とのフィット性が低下し、これにより、疲労や障害が発生しやすくなるとともに、シューズ着用中に足がシューズ内部で擦れて足にマメができるなどの問題が生じる。
【０００３】
本発明は、このような従来の問題点を解消すべくなされたもので、クッション性を確保しつつシューズ着用時におけるシューズ内容積の変化を抑制できるインソール構造体を提供することを目的とする。
【０００４】
インソール構造体の過度の変形を抑制するために、本願発明では、上下部インソール間に波形シートを内蔵させている。このような波形シートをシューズに用いる点は、特許第３３０８４８２号公報に記載されているが、同公報記載のものでは、シューズのミッドソール（合中底）への適用に限定されている。また、この場合には、ミッドソールの左右方向への横ずれ変形を防止することにより、足の踵部の横方向への倒れ、つまり過回内または過回外を防止している。
【０００５】
これに対して、本願発明では、インソールの変形によるシューズ内容積の変化を防止する観点から波形シートが設けられており、したがって、本願発明は、前記公報記載の発明とは着眼点が異なり、異なる作用効果を奏するものである。
【０００６】
なお、インソールに凹凸の形状を設けたものとして、特開平１０−１４６２０３号公報や特開平１１−１８７９０５号公報に示されたようなものがある。
【０００７】
特開平１０−１４６２０３号公報に記載のインソールは、幅方向に延びる複数本の凸条部を有している。当該公報には、インソールが波形状を有すると記載されているが（段落番号［００１０］参照）、同公報中の図１および図４の記載から分かるように、この場合には、円狐状断面を有しかつ隣り合う各凸条部の間が平面部で連結されており、厳密な意味での波形状とは言いがたいものである。また、これらの凸条部は通気性向上のために設けられており、凸条部が変形することを前提としていない（段落番号［０００３］、［０００４］および［００１０］参照）。これらの点で、波形状部が変形することを前提とし、しかもこのような波形状部を軟質弾性部材の内部に挿入した構造を有する本願発明のインソール構造体とは異なるものである。
【０００８】
特開平１１−１８７９０５号公報に記載のインソールは、エンボス加工により形成された、幅方向に延びる複数の凹部を有しており、全体として台形状の波形状が繰り返された凹凸構造を有している。しかしながら、この凹凸構造は、同公報の段落番号［００１５］および［００２２］に記載されているように、足裏に対する感触を向上させたり、通気性をコントロールするために設けられており、凹凸構造が変形することを前提としていない。この点で、波形状部を有する波形シートが変形することを前提とし、しかもこのような波形シートが軟質弾性部材の内部に挿入した構造を有する本願発明のインソール構造体とは異なるものである。
【特許文献１】特許第３３０８４８２号公報（段落番号［０１６２］〜［０１６３］等参照）
【特許文献２】特開平１０−１４６２０３号公報（段落番号［０００３］、［０００４］および［００１０］参照）
【特許文献３】特開平１１−１８７９０５号公報（段落番号［００１５］および［００２２］参照）
【発明の開示】
【発明が解決しようとする課題】
【０００９】
本発明が解決しようとする課題は、上述したように、クッション性を確保しつつシューズ着用時におけるシューズ内容積の変化を抑制できるようにすることにある。
【課題を解決するための手段】
【００１０】
請求項１の発明に係るシューズのインソール構造体は、シューズの踵部から中足部をへて前足部にかけて延設されるとともに上方に配置された軟質弾性部材製の上部インソールと、上部インソールの下方に配置された軟質弾性部材製の下部インソールと、上下部インソール間に介装され、波形状部を有する波形シートとを備えている。
【００１１】
請求項１の発明では、着用者の足裏が直接接触する上部インソールによって、シューズ着用中のソフトな足当たり感を確保できるとともに、主に下部インソールによって、着地時などに接地面から足裏に作用する衝撃荷重を吸収でき、クッション性を確保できる。
【００１２】
また、この場合には、着地時などに足からインソールに対して大きな荷重が作用したときに、上下部インソール間に配設された波形シートが上下部インソールの変形を抑制するので、上下部インソールが下方に過度に沈み込んでシューズの内容積が変化するのを抑制できる。このようにして、クッション性を確保しつつシューズ着用時におけるシューズ内容積の変化を抑制できるインソール構造体を実現できる。
【００１３】
請求項２の発明では、下部インソールがシューズの踵部に配置され、波形シートの波形状部がシューズの踵部に配置されている。この場合には、とくに踵部分においてシューズ内容積の変化を抑制できるので、足の踵部分の疲労、障害および靴擦れの防止に効果的である。
【００１４】
請求項３の発明では、下部インソールがシューズの中足部に配置され、波形シートの波形状部がシューズの中足部に配置されている。
【００１５】
請求項４の発明では、下部インソールがシューズの前足部に配置され、波形シートの波形状部がシューズの前足部に配置されている。この場合には、とくに前足部分においてシューズ内容積の変化を抑制できるので、足趾の疲労、障害および靴擦れの防止に効果的である。
【００１６】
請求項５の発明では、下部インソールがシューズの踵部から中足部をへて前足部にかけて配置され、波形シートの波形状部がシューズの踵部から中足部をへて前足部にかけて配置されている。この場合には、シューズの踵部分から前足部分にかけての全体にわたって、疲労、障害および靴擦れを防止することが可能である。
【００１７】
請求項６の発明では、上部インソールの一部が、下方に突出する凸状部を有しており、下部インソールが波形シートを介して凸状部の下方に配置されている。
【００１８】
この場合には、上部インソールの凸状部の部位において上部インソールの厚みを厚くできるので、足当たり感を向上できるとともに、凸状部に設けた波形シートによって上下部インソールの過度の沈み込みを防止できる。
【００１９】
請求項７の発明では、凸状部がシューズの踵部に配置されているので、着用者の踵の足当たり感を向上でき、足の踵からの着地時において踵の過度の沈み込みを防止できる。
【００２０】
請求項８の発明では、凸状部がシューズの前足部に配置されているので、着用者の前足部の足当たり感を向上でき、足の前足部からの着地時において前足部の過度の沈み込みを防止できる。
【００２１】
請求項９の発明では、下部インソールの少なくとも一部が下方に突出している。この場合には、上下部インソールの厚みの調節を下部インソールで行なえ、下部インソールの突出部位において、着地時のクッション性を向上できる。
【００２２】
インソール構造体は、請求項１０の発明に記載されているように、シューズに対して着脱自在に設けられていてもよく、また、請求項１１の発明に記載されているように、インソール構造体のうちの少なくとも下部インソールが、シューズに固着されていてもよい。
【００２３】
請求項１２の発明では、上部インソールが、当該上部インソールの下面の波形状面において、波形シートの上面の波形状面に対して分離可能に設けられている。
【００２４】
この場合には、インソール構造体をシューズ内部に装着する際に、インソール構造体全体を一度にシューズ内に挿入しなくて済み、上部インソールから下方の部分と上部インソールとに分けて挿入できるようになるので、シューズ内部への装着が容易に行えるようになる。また、この場合には、上部インソールのみ、または、波形シートおよび下部インソールのみを交換することが可能になり、これにより、足の個体差に応じたパーソナルフィットのインソール構造体を実現できる。
【００２５】
請求項１３の発明によれば、上部インソールの下面の波形状面には、波形シー卜の上面の波形状面との間でずれが生じるのを防止するための係合突起または係合溝が形成されており、波形シートの上面の波形状面には、上部インソール下面の係合突起または係合溝が係脱自在に係合し得る係合溝または係合突起が形成されている。
【００２６】
この場合には、上部インソール下面の係合突起（または係合溝）と波形シート上面の係合溝（または係合突起）が係合することによって、シューズ着用中に上部インソールと波形シートの間でずれが発生するのを防止できる。
【００２７】
請求項１４の発明では、上部インソールおよび波形シートが、波形シートの下面の波形状面において、下部インソールの上面の波形状面に対して分離可能に設けられている。
【００２８】
この場合には、インソール構造体をシューズ内部に装着する際に、インソール構造体全体を一度にシューズ内に挿入しなくて済み、下部インソールから上方の部分と下部インソールとに分けて挿入できるようになるので、シューズ内部への装着が容易に行えるようになる。また、この場合には、下部インソールのみ、または、上部インソールおよび波形シートのみを交換することが可能になり、これにより、足の個体差に応じたパーソナルフィットのインソール構造体を実現できる。
【００２９】
請求項１５の発明によれば、下部インソールの上面の波形状面には、波形シートの下面の波形状面との間でずれが生じるのを防止するための係合突起または係合溝が形成されており、波形シートの下面の波形状面には、下部インソール上面の係合突起または係合溝が係脱自在に係合し得る係合溝または係合突起が形成されている。
【００３０】
この場合には、下部インソール上面の係合突起（または係合溝）と波形シート下面の係合溝（または係合突起）が係合することによって、シューズ着用中に下部インソールと波形シートの間でずれが発生するのを防止できる。
【００３１】
請求項１６の発明では、波形シートが上部インソールおよび下部インソールの双方に対して分離可能に設けられている。
【００３２】
この場合には、インソール構造体をシューズ内部に装着する際に、インソール構造体全体を一度にシューズ内に挿入しなくて済み、下部インソール、波形シートおよび上部インソールをそれぞれ別個に挿入できるようになるので、シューズ内部への装着が容易に行えるようになる。また、この場合には、下部インソールのみ、波形シートのみ、または上部インソールのみを交換することが可能になり、これにより、足の個体差に応じたパーソナルフィットのインソール構造体を実現できる。
【００３３】
請求項１７の発明によれば、波形シートの上面および下面の波形状面には、上部インソールの下面の波形状面および下部インソールの上面の波形状面との間でずれが生じるのを防止するための係合突起または係合溝が形成されており、上部インソールの下面の波形状面および下部インソールの上面の波形状面には、波形シートの係合突起または係合溝が係脱自在に係合し得る係合溝または係合突起がそれぞれ形成されている。
【００３４】
この場合には、波形シートの上下面の各係合突起または係合溝と、上部インソール下面および下部インソール上面の各係合溝または係合突起とが係合することによって、シューズ着用中に上下部インソールと波形シートとの問でずれが発生するのを防止できる。
【００３５】
請求項１８の発明では、上部インソールの側縁部が巻上げ部を有している。すなわち、上部インソールがいわゆるカップイン形状を有している。この場合には、上部インソールの側縁部が足の周囲を囲繞することによって、インソール構造体と足とのフィット性を向上できる。
【００３６】
請求項１９の発明に記載されているように、波形シートは、編物、織物、合成樹脂またはその発泡体、あるいはラバーから構成されている。この場合、波形シートが編物や織物などの伸びにくい生地から構成される際には、上下部インソールの変形を抑制する機能を効果的に発揮する。また、波形シートがとくに硬質の合成樹脂（発泡体含む）やラバーから構成される際には、上下部インソールの変形を抑制する機能のみならず、衝撃荷重を分散する機能を効果的に発揮する。
【００３７】
請求項２０の発明では、波形シートの硬度が、上下部インソールの硬度よりもアスカーのＣスケールで少なくとも１０度高くなっている。
【００３８】
請求項２１の発明では、波形シートが、上部インソールの成形時または下部インソールの成形時に一体成形されている。なお、この場合、上下部インソールおよび波形シートは、同一樹脂から形成されていても、異なる樹脂から形成されていてもよい。
【発明の効果】
【００３９】
本発明に係るインソール構造体によれば、着用者の足裏が直接接触する上部インソールによって、シューズ着用中のソフトな足当たり感を確保できるとともに、上部インソールの下方に配置された下部インソールによって、着地時などに接地面から足裏に作用する衝撃荷重を吸収でき、クッション性を確保できる。しかも、この場合には、着地時などに足からインソールに対して大きな荷重が作用したときに、上下部インソール間に配設された波形シートが上下部インソールの変形を抑制するので、上下部インソールが下方に過度に沈み込んでシューズの内容積が変化するのを抑制できる。このようにして、クッション性を確保しつつシューズ着用時におけるシューズ内容積の変化を抑制できるインソール構造体を実現できる。
【発明を実施するための最良の形態】
【００４０】
以下、本発明の実施例を添付図面に基づいて説明する。
図１ないし図６は、本発明の一実施例によるシューズのインソール構造体を説明するための図であって、図１はインソール構造体の平面図、図２はその底面図、図３は図２のIII-III 線断面図、図４は図２のIV-IV 線断面図、図５は図２のV-V 線断面図、図６は図２のVI-VI 線断面図である。
【００４１】
図１ないし図３に示すように、このインソール構造体１は、上方（図３右方）に配置された上部インソール２と、上部インソール２の下方（同図左方）に配置された下部インソール３と、上下部インソール２，３の間に挟持された波形シート４とから構成されている。
【００４２】
上部インソール２は、シューズの踵部Ａから中足部Ｂをへて前足部Ｃにかけて延設された第１の上部インソール２０と、その下方においてシューズの踵部Ａから中足部Ｂにかけて配設され、第１の上部インソール２０の下面に接着または一体成形された第２の上部インソール２１とを備えている。下部インソール３は、シューズの踵部Ａから中足部Ｂの一部にかけて延設されている。波形シート４は、第２の上部インソール２１と下部インソール３との間に配置されており、前後方向（図２上下方向）に波状に湾曲しつつ延びる波形状部４０をシューズの踵部Ａから中足部Ｂにかけての領域に有している。シューズの中足部Ｂから前足部Ｃにかけての領域に延設された波形シート前端部分は、平坦状に形成されている。
【００４３】
上下部インソール２，３および波形シート４は、たとえば、エチレン−酢酸ビニル共重合体（ＥＶＡ）等の熱可塑性合成樹脂の発泡体やポリウレタン（ＰＵ）等の熱硬化性樹脂の発泡体、ブタジエンラバーやクロロプレンラバー等のラバー素材の発泡体、あるいはラバーまたはエラストマー（たとえばＰＡＥ）などのような、クッション性を有する素材から形成されている。また波形シート４は、綿やポリエステル繊維、ナイロン繊維、カーボン繊維などの編物や織物などの生地から構成されていてもよい。
【００４４】
波形シート４は、上下部インソール２，３のいずれかの成形時に一体成形されている。この場合、波形シート４は、上部インソール２または下部インソール３の成形時に同時にインサート成形されるか、または上下部インソール２，３を貼り合わせた状態でヒートプレスを行うことにより上下部インソール２，３と一体成形されている。なお、第１の上部インソール２０の表面には、着用者の足裏に対する感触を良くするとともに、吸湿性を高めるために、たとえばコットン製のパイル地が装着されているのが好ましい。
【００４５】
上下部インソール２，３および波形シート４は、この例では、いずれもＥＶＡの発泡体から構成されており、発泡率を変えることによって、各部材に硬度差を生じさせている。各部材の硬度は、アスカーのＣスケールで、第１の上部インソール２０が約４０Ｃ、第２の上部インソール２１が約５５Ｃ、下部インソール３が約５０Ｃ、波形シート４が約６５Ｃになっている。すなわち、インソール構造体１の中で、波形シート４の硬度が一番高く設定されており、上下部インソール２，３と比較して、アスカーのＣスケールで少なくとも１０Ｃ高くなっている。
【００４６】
第１の上部インソール２０の左右の側縁部の一方または双方には、図４ないし図６に示すように、上方に延びる巻上げ部２０ａが形成されている。この巻上げ部２０ａによるカップイン形状によって、インソール構造体１と足とのフィット性を向上できる。同様に、波形シート４の左右双方の側縁部には、上方に延びる巻上げ部４ａが形成されている。
【００４７】
インソール構造体１は、対応するシューズに対して構造体全体が着脱自在に設けられているか、または、構造体のうちの少なくとも下部インソール３がシューズに固着されている。
【００４８】
上述のように構成されるインソール構造体によれば、着用者の足裏が直接接触する上部インソール２によって、シューズ着用中のソフトな足当たり感を確保できるとともに、主に下部インソール３によって、着地時などに接地面から足裏に作用する衝撃荷重を吸収でき、クッション性を確保できる。
【００４９】
しかも、このインソール構造体によれば、着地時などに足からインソール構造体１に対して大きな荷重が作用したときに、上下部インソール２，３間に配設された波形シート４が上下部インソール２，３の変形を抑制するので、上下部インソール２，３が下方に過度に沈み込んでシューズの内容積が変化するのを抑制できる。このようにして、クッション性を確保しつつシューズ着用時におけるシューズ内容積の変化を抑制できるインソール構造体を実現できる。これにより、足のとくに踵部の疲労、障害および靴擦れを防止できる。
【００５０】
波形シート４が編物や織物などの伸びにくい生地から構成される場合には、上下部インソール２，３の変形を抑制する機能を効果的に発揮する。また、波形シート４がとくに硬質の合成樹脂（発泡体含む）やラバーから構成される場合には、上下部インソール２，３の変形を抑制する機能のみならず、衝撃荷重を分散する機能を効果的に発揮する。
【００５１】
上部インソール２は、当該上部インソール２の下面２ｂの波形状面において、波形シート４の上面４ｕの波形状面に対して分離可能に設けられていてもよい。
【００５２】
この場合には、インソール構造体１をシューズ内部に装着する際に、インソール構造体全体を一度にシューズ内に挿入しなくて済み、上部インソール２から下方の部分（つまり波形シート４および下部インソール３）と、相対的に薄肉の上部インソール２とに分けて挿入できるようになるので、シューズ内部への装着が容易に行えるようになる。また、この場合には、上部インソール２のみの交換、または波形シート４および下部インソール３のみの交換が可能になり、これにより、足の個体差に応じたパーソナルフィットのインソール構造体を実現できる。
【００５３】
このとき、上部インソール２の下面２ｂの波形状面には、波形シート４の上面４ｕの波形状面との間でずれが生じるのを防止するための係合突起または係合溝が形成され、波形シート４の上面４ｕの波形状面には、上部インソール２側の係合突起または係合溝が係脱自在に係合し得る係合溝または係合突起４０ａが形成されているのが好ましい。係合突起４０ａは、幅方向（図３紙面垂直方向）に延びている。
【００５４】
この場合には、上部インソール下面２ｂの係合突起（または係合溝）と波形シート上面４ｕの係合溝（または係合突起４０ａ）が係合することによって、上部インソール２と波形シート４との間でずれが発生するのを防止できる。
【００５５】
上部インソール２および波形シート４は、波形シート４の下面４ｂの波形状面において、下部インソール３の上面３ｕの波形状面に対して分離可能に設けられていてもよい。
【００５６】
この場合には、インソール構造体１をシューズ内部に装着する際に、インソール構造体全体を一度にシューズ内に挿入しなくて済み、下部インソール３から上方の部分（つまり波形シート４および上部インソール２）と、相対的に薄肉の下部インソール３とに分けて挿入できるようになるので、シューズ内部への装着が容易に行えるようになる。また、この場合には、下部インソールのみの交換、または上部インソール２および波形シート４のみの交換が可能になり、これにより、足の個体差に応じたパーソナルフィットのインソール構造体を実現できる。
【００５７】
このとき、下部インソール３の上面３ｕの波形状面には、波形シート４の下面４ｂの波形状面との間でずれが生じるのを防止するための係合突起または係合溝が形成され、波形シート４の下面４ｂの波形状面には、下部インソール上面３ｕの係合突起または係合溝が係脱自在に係合し得る係合溝または係合突起４０ａが形成されているのが好ましい。
【００５８】
これにより、下部インソール上面３ｕの係合突起（または係合溝）と波形シート下面４ｂの係合溝（または係合突起４０ａ）が係合することによって、下部インソール３と波形シート４の間でずれが発生するのを防止できる。
【００５９】
波形シート４は、上部インソール２および下部インソール３の双方に対して分離可能に設けられていてもよい。
【００６０】
この場合には、インソール構造体１をシューズ内部に装着する際に、インソール構造体全体を一度にシューズ内に挿入しなくて済み、各々薄肉の下部インソール３、波形シート４および上部インソール２をそれぞれ別個に挿入できるようになるので、シューズ内部への装着が容易に行えるようになる。また、この場合には、下部インソール３のみの交換、波形シート４のみの交換、または上部インソール２のみの交換が可能になり、これにより、足の個体差に応じたパーソナルフィットのインソール構造体を実現できる。
【００６１】
このとき、波形シート４の上面４ｕおよび下面４ｂの波形状面には、上部インソール２の下面２ｂの波形状面および下部インソール３の上面３ｕの波形状面との間でずれが生じるのを防止するための係合突起４０ａまたは係合溝（図示せず）が形成されており、上部インソール２の下面２ｂの波形状面および下部インソール３の上面３ｕの波形状面には、波形シート４の係合突起４０ａまたは係合溝が係脱自在に係合し得る係合溝または係合突起（図示せず）がそれぞれ形成されている。
【００６２】
この場合には、波形シート４の上下面４ｕ，４ｂの各係合突起４０ａまたは係合溝と、上部インソール下面２ｂおよび下部インソール上面３ｕの各係合溝または係合突起とが係合することによって、上下部インソール２，３と波形シート４との間でずれが発生するのを防止できる。
【００６３】
なお、下部インソール３および波形シート４を設ける位置としては、シューズの踵部Ａに限定されるものではない。下部インソール３をシューズの中足部Ｂにのみ配置して、波形シート４の波形状部４０をシューズの中足部Ｂに配置するようにしてもよく、または、下部インソール３をシューズの前足部Ｃにのみ配置して、波形シート４の波形状部４０をシューズの前足部Ｃに配置するようにしてもよい。
【００６４】
前足部Ｃに配置した場合には、足趾の疲労、障害および靴擦れの防止に効果的である。さらに、下部インソール３をシューズの踵部Ａから中足部Ｂをへて前足部Ｃにかけて配置して、波形シート４の波形状部４０をシューズの踵部Ａから中足部Ｂをへて前足部Ｃにかけて配置するようにしてもよい。この場合には、足の踵部から前足部にわたる足全体の疲労、障害および靴擦れの防止に効果的である。
【００６５】
〔他の実施例〕
図７ないし図１１は、本発明の他の実施例によるシューズのインソール構造体を説明するための図であって、図７はインソール構造体の底面図、図８は図７のVIII-VIII 線断面図、図９はインソール構造体が組み込まれるシューズを示す図、図１０は図８の第１の変形例を示す図、図１１は図８の第２の変形例を示す図である。なお、これらの図において、前記実施例と同一符号は同一または相当部分を示している。
【００６６】
図７および図８に示すように、このインソール構造体１′は、上部インソール２の下面から下方に突出する突出部５を有しており、突出部５は、上部インソール２の踵部位から下方に突出する凸状部２２と、凸状部２２の下方において波形シート４を介して配置された下部インソール３とから構成されている。突出部５の上部インソール下面からの突出量ｄは、３０ｍｍ以下が好ましい。また、突出部５の外周面５ｆは、上部インソール２の外周面２ｆよりも内側に配置されている。
【００６７】
図９は、インソール構造体１′が組み込まれるシューズ５０を一点鎖線で示している。同図中、符号５１はミッドソールであり、ミッドソール５１の踵部位には、凹部５１ａが形成されている。凹部５１ａは、インソール構造体１′の突出部５が嵌まり込む大きさに形成されている。また、符号５２はアウトソールであり、符号５３は甲被部である。
【００６８】
この場合には、凸状部２２により、上部インソール２の踵部位の厚みが厚くなっているので、着用者の踵における足当たり感を向上できるとともに、凸状部２２に設けた波形シート４によって、上下部インソール２，３の過度の沈み込みを防止でき、足の踵からの着地時に踵の過度の沈み込みを防止できる。
【００６９】
なお、図示していないが、凸状部２２はシューズの前足部に配置することも可能である。この場合には、着用者の足の前足部における足当たり感を向上でき、足の前足部からの着地時において前足部の過度の沈み込みを防止できる。
【００７０】
前記他の実施例では、インソール構造体の踵部位に突出部５を形成するのに、上部インソール２に凸状部２２を形成した例を示したが、本発明の適用はこれに限定されない。図１０および図１１に示すように、上部インソール２に凸状部を形成せずに、下部インソール３に凸状部３２を形成するか、あるいは下部インソール３自体が突出部５を形成するようにしてもよい。
【００７１】
図１０に示すインソール構造体は、図３に示すものにおいて、上部インソール２を均質の部材から構成するとともに、下部インソール３の踵部位に、下方に突出する凸状部３２を形成したものに相当している。また、図１１に示すインソール構造体は、図１０に示すものにおいて、波形シート４を下部インソール３の凸状部３２の上端に配置したものに相当している。言い換えれば、これらのインソール構造体においては、下部インソール３の少なくとも一部が下方に突出している。
【００７２】
この場合には、上下部インソール２，３の厚みの調節を下部インソール３で行なえ、下部インソール３の突出部において、着地時のクッション性を向上できる。
【００７３】
本発明によるインソール構造体が適用されるシューズとしては、各種スポーツに使用されるスポーツシューズの他、ウォーキングシューズも含まれる。
【図面の簡単な説明】
【００７４】
【図１】本発明の一実施態様によるインソール構造体の平面図である。
【図２】インソール構造体（図１）の底面図である。
【図３】図２のIII-III 線断面図である。
【図４】図２のIV-IV 線断面図である。
【図５】図２のV-V 線断面図である。
【図６】図２のVI-VI 線断面図である。
【図７】本発明の他の実施例によるインソール構造体の底面図である。
【図８】図７のVIII-VIII 線断面図である。
【図９】インソール構造体（図７）が組み込まれるシューズを示す図である。
【図１０】図８の第１の変形例を示す図である。
【図１１】図８の第２の変形例を示す図である。
【符号の説明】
【００７５】
１：  インソール構造体
２：  上部インソール
２ｂ：  下面
２０：  第１の上部インソール
２０ａ：  巻上げ部
２１：  第２の上部インソール
３：  下部インソール
３ｕ：  上面
４：  波形シート
４ｕ：  上面
４ｂ：  下面
４０：  波形状部
４０ａ：  係合突起
Ａ：  踵部
Ｂ：  中足部
Ｃ：  前足部
【図１】
2004313774.tif 000003
【図２】
2004313774.tif 000004
【図３】
2004313774.tif 000005
【図４】
2004313774.tif 000006
【図５】
2004313774.tif 000007
【図６】
2004313774.tif 000008
【図７】
2004313774.tif 000009
【図８】
2004313774.tif 000010
【図９】
2004313774.tif 000011
【図１０】
2004313774.tif 000012
【図１１】
2004313774.tif 000013